(57)【要約】      （修正有）【課題】  病院内において、病被施術者である患者に点滴治療を施す場合、点滴時は、施術者である医師、ナースなどの側には、点滴中の経過管理、監視を行って注意を払い又、治療終了時は、その処置に気を使い治療を行なっていた。点滴中の経過管理を最も仕事効率の高い点適液量を直接センサで読み撮って、ナーススーテションへ、誘導通信による搬送波で知らせる装置。【解決手段】  点滴薬液１１の薬液量をＬ／Ｃセンサー２２又は、半導体歪ゲージセンサーで読みとって、信号変換し、デターを赤外送信する機構１８を点滴薬液袋部に取付け、その赤外電波の受信装置を病室内に設置し、その設置された機器より出された誘導通信搬送波をナーススーテションのメイン指令盤に知らせる装置又直接ナースにも、携帯型ポヶット機にて、知らせるようにした。【選択図】  図１
2005066251.tif 000002
【特許請求の範囲】
【請求項１】
被施術者である患者に点滴治療を行う場合の監視システム装置であって、倒立状態又は、天吊りによって懸架される点滴液に対し、容器体内の点滴液、残量を検知する残量検知手段を取付け配置させると共に、施術者である医師、ナースなどの側には、残量検知手段からの検知出力により作動された赤外線電波をナースコールスイッチ側で、赤外線電波を受信し、その残量検知出力をナースセンターに点滴液残量を報知する手段を配置して構成したことを特微とする点滴監視装置。
【請求項２】
被施術者である患者に点滴量を自動検知する半導体歪ゲージを使った高感度圧力マイクロ送信センサーを点滴静注用の袋上部に取付け点滴量を自動検知しデターを赤外線電波で送信する点滴監視装置。
【請求項３】
被施術者である患者に点滴量を自動検知するＬ（リアクタンス）、Ｃ（キャパシタンス）を使ったマイクロ型送信センサー点滴静注用の袋に貼り付け点滴量を自動検知しデターを送信する点滴監視装置。
【発明の詳細な説明】
【技術分野】
【０００１】  本発明は、点滴液残量検知の容易な状態監視システム装置に関するものである。
【背景技術】
【０００２】  点滴を自動検知するＬ（リアクタンス）、Ｃ（キャパシタンス）を組み合わせたＡ／Ｄ変換機と半導体歪ゲージを使用した圧力レベルをデジタル変換しそのデターを中央処理装置を備えた赤外線マイクロ送信電波に変換し送信する。【０００３】  その送信された赤外線電波をナースコールスイッチ側で受信し、その赤外線電波で受信された残量検知デターをナースセンターに点滴液残量を報知する手段を配置して構成したことを特微とする点滴監視装置に関する。【特許文献１】特開２０００−６５６２６号広報
【非特許文献１】トランジスタ技術編集部奢「実用電子回路ハンドブック」ＣＱ出版社
【発明の開示】
【発明が解決しようとする課題】
【０００４】  解決しようとする門題点は、病院内において、被施術者である患者に点滴治療を施す場合、点滴時は、施術者である医師、ナースなどの側には、点滴中の経過管理の元で、点滴治療を施す点である。
【課題を解決解決するための手段】
【０００５】  本発明は、効率の高い点滴液の量を直接センサーで読み撮って、ナースステーションへ知らせることを最も主要な特微とする。
【発明の効果】
【０００６】  本発明の点滴監視システム装置は、点滴液の量を直接センサーで読み撮って、ナースへ直接ナースに伝わる利点がある。
【発明を実施するための最良の形態】
【０００７】  被施術者である患者の点滴液量を施術者である医師とナースは、点滴液終了目的を、最少の部品点数で、患者の点滴終了時よる処置事故を損なわずに実現した。
【実施例１】
【０００８】  １図、２図、３図、４図、は、本発明装置実施例１の構成図であって、１と２図は点滴薬液袋検知センサ部３図は、病室のナースコールスイッチ又は、赤外受信機に備える装置４図は、ナースステイションに備える装置である。【０００９】  図１のセンサ２２は、ＬＣ回路部２０と、反射波受信部１３を経由し信号変換１４、１５を経由され赤外送信部にて、送信される。本発明の主体は、各、ブロックの電子部品のマイクロチップ構成にあるので、電子、機構系の説明は省略する。  図２のセンサ３０の半導体歪ゲージセンサは、信号変換回路部と、Ａ／Ｄ変換部と中央処理装置を経由し赤外送信部にて、送信される。本発明の主体は、各、ブロツクの電子部品のマイクロチップ構成にあるので、電子、機構系の説明は省略する。動作構成図  説明１図  点滴薬液袋検知センサー図２図  点滴薬液袋検知センサー図３図  ベットスイッチ又は受信機
【産業上の利用可能性】
【００１０】点滴薬液に取付けたＬＣセンサ又は、半導体歪ゲージセンサーを用いて容易に点滴薬液量が分かるので、施術者である医師、ナースなどの側には、点滴中の経過管理、監視が、容易になることによって、直視が不可欠な用途にも適用できる。
【図面の簡単な説明】
【００１１】
【図１】は、本発明に係る点滴液袋部検知Ｌ．Ｃセンサーを備える装置のブロック説明図である。
【図２】は、本発明に係る点滴液袋部検知半導体歪ゲージセンサーを備える装置のブロック図である。
【図３】は、本発明に係る病室ナースコールスイッチに備える装置のブロック図である。
【符号の説明】
【００１２】      １１  点滴薬液                          １２  ＬＣ回路部      １３  反射波受信部                      １４  信号変換器      １５  Ａ／Ｄ変換部                      １６  中央処理装置      １７  発振部                            １８  赤外送信部      １９  リチュム充電部                    ２０  発信信号ライン      ２１  ＬＣアナログ信号ライン            ２２  Ｌ．Ｃセンサー      ２３  リチュム電地                      ２４  ＬＣアナログ信号ライン      ２５  第１のＬＣ検出信号ライン          ２６  第２のＬＣ検出信号ライン      ２７  デジタル入力信号ライン            ２８  デター信号ライン      ２９  電源供給ライン      ３０  半導体歪ゲージセンサ              ３１  信号変換器      ３２  Ａ／Ｄ変換部                      ３３  中央処理装置      ３４  赤外送信部                        ３５  点滴薬液      ３６  検出アナログ信号ライン            ３７  検出デジタル信号ライン      ３８  赤外送信出力デターライン          ３９  赤外線素子出力ライン      ４０  電源供給ライン                    ４１  リチュム電池      ４２  リチュム充電部                    ４３  赤外線素子      ４４  充電出力ライン      ４６  赤外送信部                        ４７  信号変換部      ４８  中央処理装置部                    ４９  赤外線受信部      ５０  赤外素子                          ５１  赤外線デター出力ライン      ５２  赤外線デター信号ライン            ５３  液量取出デターライン      ５４  デジタルデター信号ライン          ５５  アナログデター信号ライン      ５６  アンログデター信号ライン          ６４  電  源  部      ５７，５８，５９，６０，６１，６２，６３，    電源ライン
【図１】
2005066251.tif 000003
【図２】
2005066251.tif 000004
【図３】
2005066251.tif 000005